【手続補正書】
【提出日】平成20年1月29日(2008.1.29)
【手続補正１】
【補正対象書類名】明細書
【補正対象項目名】全文
【補正方法】変更
【補正の内容】
【書類名】 明細書
【発明の名称】 競走馬のレース再現方法、競走馬のレース内容記録方法および競走馬のレース内容が記録された印刷物
【特許請求の範囲】
【請求項１】競走馬のレース内容が記録された記録媒体の記録内容により競走馬のレース内容を再現せしめる競走馬のレース再現方法において、前記記録媒体におけるレース内容が記録されるレース結果記録欄内に、トラック上の競走馬の走行位置をコーナーごとに認識させる識別手段を矩形の枠を用いて表示することを特徴とする競走馬のレース再現方法。
【請求項２】競走馬のレース内容を記録媒体に記録し、この記録内容により競走馬のレース内容を再現せしめるための競走馬のレース内容記録方法において、前記記録媒体におけるレース内容が記録されるレース結果記録欄内に、トラック上の所定位置での競走馬の走行位置が、馬群における最内部分から大外部分までの位置を複数段階に分割し、この分割した部分に対応させた識別手段を付することにより記録されていることを特徴とする競走馬のレース内容記録方法。
【請求項３】レース結果記録欄内に、競走馬の過去のレースにおけるトラック上の所定位置での通過順位を視認可能に記載する通過順位表示部が設けられているとともに、この通過順位表示部で表示されている通過地点での馬群における競走馬の走行位置が、前記馬群における最内部分から大外部分までの位置を複数段階に分割し、この分割した部分に対応させた識別手段により表示されている請求項２に記載の競走馬のレース内容記録方法。
【請求項４】識別手段が、矩形枠または丸枠を利用して記録されている請求項２または請求項３に記載の競走馬のレース内容記録方法。
【請求項５】競走馬のレースにおけるトラック上の所定位置での通過順位が記録された通過順位表示部を備えたレース結果記録欄を有する競走馬のレース内容が記録された印刷物において、前記レース結果記録欄内に、前記通過順位表示部で表示されている競走馬のトラック上における走行位置を認知させる走行位置認知手段が設けられており、前記走行位置認知手段は、馬群における最内部分から大外部分までの位置を複数段階に分割し、この分割した部分に対応させた識別手段により表示されていることを特徴とする競走馬のレース内容が記録された印刷物。
【請求項６】走行位置認知手段が、通過順位表示部の周囲を覆う矩形枠を利用して表示されている請求項５に記載の競走馬のレース内容が記録された印刷物。
【請求項７】競走馬のレースにおける入着順位が記録された着順表示部を備えたレース結果記録欄を有する競走馬のレース内容が記録された印刷物において、前記着順表示部の周囲に、競走馬のトラック上におけるコーナーごとの通過順位が記録された通過順位表示が設けられているとともに、コーナーごとの競走馬の馬群における最内部分から大外部分までの位置を複数段階に分割し、この分割した部分に対応させた識別手段により表示されている走行位置認知手段が設けられていることを特徴とする印刷物。
【発明の詳細な説明】
【０００１】
【発明の属する技術分野】本発明は、競走馬のレース再現方法、競走馬のレース内容記録方法および競走馬のレース内容が記録された印刷物に関し、詳しくは、競走馬のレース内容を立体的に再現せしめることができる競走馬のレース内容記録方法および競走馬のレース内容が記録された印刷物。
【０００２】
【従来の技術】競馬を行う際には、競馬新聞や競馬専門の雑誌などの競馬予想紙を参考にするのが一般的である。そして、競馬予想紙には、出走する競走馬のデーターとして、前走、前々走など、複数のレース内容の結果が記載されている。
【０００３】このレース内容の結果が記載されているレース結果表示欄には、概ね、レース名、開催日、馬場状態、条件（斤量）、頭数、着順、距離、タイム、トラック上の所定位置における通過順位などの記録が、余白がないほど詰められた状態で記載されている。ここで、通過順位が記載されるトラック上の所定位置としては、各競馬予想紙により条件が異なるが、たとえば、トラック上の各コーナー、向こう正面（トラック上における２コーナーから３コーナーにかけてのストレート部分）、ゴール前３ハロンなどが挙げられる。
【０００４】競馬の予想を行うときには、上述した条件全てが非常に大切な要素となり、また、これら過去のレース内容の結果一つ一つを分析していき、新たなレース展開を予想していくことが競馬の楽しみの一つともいえる。したがって、過去のレース内容の結果についてのデーターは、細かければ細かいほど好ましい。
尚、ここでいう通過順位に関しては、それは通過した単なる順番を示しているのみであって、それ以上の何の意味も無い。競馬愛好家が切望し、かつ重要視している各コーナーなどの４地点における走行コースの判別のことまでは(如何なる紙面等にも) その記載はない。これについては走行中のコース取りの簡潔な区分表示があれば、走破能力などの精査に計り知れないデータとなるにもかかわらず、レース記録欄ともいえる馬柱又は馬箱などのスペースの限界から、走行コースの位置関係の区分を文字をもって挿入するに及んでは、その欄の相当の拡張を余技なくされ、紙面的にも不可能であった。
【０００５】
【発明が解決しようとする課題】しかし、従来の競馬予想紙では、トラックの所定位置を何番手で通過したのかという競走馬の縦方向についての位置関係に関する記載はあったが、このとき馬群の内側を走行していたのか、馬群の外側を走行していたのかというトラック上における横方向の位置関係が不明であった。
【０００６】このような、トラック上における横方向の位置関係は、競走馬の能力評価を行う上で、非常に重要な要因ともなりかねない。すなわち、たとえば、一周１７００ｍのトラックを有する競馬場でのレースにおいて、競走馬が、馬群の外側を走行していた場合と内埒添いに最内を走行していた場合とでは、その差が４ｍであったとして、一周したときには、場合によっては１０ｍもの距離差が生じることとなる。
【０００７】このような場合、単純にレースの順位だけでは、その競走馬の能力を正確に把握することができない。したがって、たとえば、５頭もの競走馬がゴール前で競り合って、ほとんど並んだ状態でゴールしたような場合において、順位的には５着であった競走馬が大外ばかりを走行しており、１着となった競走馬が内埒添いばかりを有利に走行しているということも考えられ、これら競走馬が走行していた位置条件が逆であれば、５着となった競走馬が１着となった競走馬に３〜４馬身の差で勝っていた可能性もある。
【０００８】また、従来の競馬予想紙に記載されているレース内容の記録からは、予想対象となる競走馬が、トラック上をどのような位置取りで走行したときに最も能力を発揮することができるのかを認識することができない。すなわち、従来の競馬予想紙に記載されているレース内容の記録では、過去のレース内容の再現を平面的にしか捉えることができず、予想を行う参考資料として用いる場合に不十分であり不満が残るものであった。
【０００９】しかし、従来の競馬予想紙に記載されているレース内容の記録は、全て予想を行う際に必要なデーターであり、これらの記録の一部を削除してまで、競走馬のレース経過とトラック上の位置関係とを認識させるような表示を記録することは望まれないが、データーが記録されているレース結果記録欄は余裕がない状態であり、新たな情報を活字で記録するのもよいが、この場合余計なスペースを要することとなってしまう。
【００１０】そこで、本発明は、このような事情に鑑みて、従来の競走馬のレース内容記録では、十分に把握することができなかった競走馬のトラック上の所定位置における位置取りを、記録スペースを要することなく、一瞥で視認可能な状態に記録することで、競走馬のレース内容を立体的に再現することが可能な競走馬のレース再現方法、競走馬のレース内容記録方法および競走馬のレース内容が記録された印刷物を提供することを目的としてなされた。
【００１１】
【課題を解決するための手段】このような目的を達成するために、本発明の請求項１に記載の発明に係る競走馬のレース再現方法（以下、「請求項１の再現方法」と記す。）は、競走馬のレース内容が記録された記録媒体の記録内容により競走馬のレース内容を再現せしめる競走馬のレース再現方法において、前記記録媒体におけるレース内容が記録されるレース結果記録欄内に、トラック上の競走馬の走行位置をコーナーごとに認識させる識別手段を矩形の枠を用いて表示することを特徴とする構成とした。
【００１２】また、本発明の請求項２に記載の発明にかかる競走馬のレース内容記録方法（以下、「請求項２の記録方法」と記す。）は、競走馬のレース内容を記録媒体に記録し、この記録内容により競走馬のレース内容を再現せしめるための競走馬のレース内容記録方法において、前記記録媒体におけるレース内容が記録されるレース結果記録欄内に、トラック上の所定位置での競走馬の走行位置が、馬群における最内部分から大外部分までの位置を複数段階に分割し、この分割した部分に対応させた識別手段を付することにより記録されていることを特徴とする構成とした。
【００１３】上記構成において、記録媒体としては、競馬新聞や競馬専門雑誌などのいわゆる競馬予想紙と呼ばれている紙面などのほかに、インターネットなど電子通信回線を利用して、モニターなどを通じて視認可能な状態とするための記録媒体も含まれる。また、トラック上の所定位置とは、特に限定されないが、たとえば、第１コーナー、第２コーナー、第３コーナー、第４コーナー、向こう正面の直線部分、最終直線部分などが挙げられる。また、識別手段は、どのような形態をしていても識別可能であれば特に限定されないが、たとえば、記号、図形、文字などが挙げられる。なお、ここでいう文字とは、競走馬がレースを行う際、トラック上の最終直線部分以外での馬群でのポジションを立体的に表現するための最小限の言葉などのことをいう。また、競走馬の走行位置は、少なくともトラック上を走行している馬群での内側と外側との２段階以上に分割されていれば、何段階に分割してもよく、特に限定されない。
【００１４】また、本発明の請求項３に記載の発明にかかる競走馬のレース内容記録方法（以下、「請求項３の記録方法」と記す。）は、請求項２の記録方法の構成に加えて、レース結果記録欄内に、競走馬の過去のレースにおけるトラック上の所定位置での通過順位を視認可能に記載する通過順位表示部が設けられているとともに、この通過順位表示部で表示されている通過地点でのトラック上の競走馬の走行位置が、馬群における最内部分から大外部分までの位置を複数段階に分割し、この分割した部分に対応させた識別手段により表示されている構成とした。
【００１５】また、本発明の請求項４に記載の発明にかかる競走馬のレース内容記録方法（以下、「請求項４の記録方法」と記す。）は、請求項２または請求項３の記録方法の構成に加えて、表示手段が、矩形枠または丸枠を利用して記録されている構成とした。
【００１６】また、本発明の請求項５に記載の発明にかかる競走馬のレース内容が記録された印刷物（以下、「請求項５の印刷物」と記す。）は、競走馬のレースにおけるトラック上の所定位置での通過順位が記録された通過順位表示部を備えたレース結果記録欄を有する競走馬のレース内容が記録された印刷物において、前記レース結果記録欄内に、前記通過順位表示部で表示されている競走馬のトラック上における走行位置を認知させる走行位置認知手段が設けられており、前記走行位置認知手段は、馬群における最内部分から大外部分までの位置を複数段階に分割し、この分割した部分に対応させた識別手段により表示されていることを特徴とする構成とした。上記構成において、印刷物としては、上述したように競馬予想紙の紙面がまず考えられるが、ファクシミリやインターネット回線を通じてプリントアウトされた印刷物も含まれる。
【００１７】また、本発明の請求項６に記載の発明にかかる競走馬のレース内容が記録された印刷物（以下、「請求項６の印刷物」と記す。）は、請求項４の印刷物の構成に加えて、走行位置認知手段が、通過順位表示部の周囲を覆う矩形枠を利用して表示されている構成とした。また、本発明の請求項７に記載の発明にかかる競走馬のレース内容が記録された印刷物（以下、「請求項７の印刷物」と記す。）は、競走馬のレースにおける入着順位が記録された着順表示部を備えたレース結果記録欄を有する競走馬のレース内容が記録された印刷物において、前記着順表示部の周囲に、競走馬のトラック上におけるコーナーごとの通過順位が記録された通過順位表示が設けられているとともに、コーナーごとの競走馬の馬群における最内部分から大外部分までの位置を複数段階に分割し、この分割した部分に対応させた識別手段により表示されている走行位置認知手段が設けられていることを特徴とする構成とした。
【００１８】
【発明の実施の形態】以下に、本発明の実施の形態を、図面を参照しつつ詳しく説明する。図１は、本発明にかかる競走馬のレース内容が記録された印刷物の一実施の形態を示した説明図である。図１に示したように印刷物１は、レース結果記録欄１０内に、通過順位表示部２を備えているのに加えて、レース場名３１、レース開催日３２、レースのグレード３３、レース名３４、着順３５、１着馬または２着馬との馬身差３６、距離３７、タイム３８、斤量３９、騎手名４０、頭数４１、枠番号４２、人気４３、体重４４、勝ち馬の名前４５、レース前半３ハロンのタイム４６、レース後半の３ハロンのタイム４７などが記録されている。
【００１９】通過順位表示部２は、図２に示したように、第１コーナーでの通過順位記録部２１、第２コーナーでの通過順位記録部２２、第３コーナーでの通過順位記録部２３、第４コーナーでの通過順位記録部２４が設けられているとともに、これら通過順位記録部のそれぞれが矩形の枠５で覆われており、この枠にはトラック上での競走馬の走行位置を認識させるための走行位置認知手段５１が設けられている。
【００２０】ここで、走行位置認知手段５１について説明する。図３は、走行位置認知手段５１の表示と競走馬の位置取りとの関係を示した説明図である。図３に示したように、走行位置認知手段５１は、競走馬の馬群における走行位置を、枠５の下角部分５０を利用して表示されており、競走馬の走行位置が最内部分であることを示す最内表示５１ａ、内部分であることを示す内表示５１ｂ、中央部分であることを示す中表示５１ｃ、外部分であることを示す外表示５１ｄ、大外部分であることを示す大外表示５１ｅの５段階の識別手段により表示されるようになっている。
【００２１】最内表示５１ａは、枠５の下角部分５０に黒三角からなる識別手段を付することにより表示されるようになっている。内表示５１ｂは、枠５の下角部分５０に白三角からなる識別手段を付することにより表示されるようになっている。中表示５１ｃは、枠５の下角部分５０に短い対角の線からなる識別手段を付することにより表示されるようになっている。
【００２２】外表示５１ｄは、枠５の下角部分５０に白丸からなる識別手段を付することにより表示されるようになっている。大外表示５１ｅは、枠５の下角部分５０に黒丸からなる識別手段を付することにより表示されるようになっている。
【００２３】このように、走行位置認知手段５１は、識別手段である最内表示５１ａ、内表示５１ｂ、中表示５１ｃ、外表示５１ｄ、および大外表示５１ｅが非常に視認容易となっているため、図１に示したレース結果記録欄１０の通過順位表示部２および走行位置認知手段５１を見ると、この競走馬が各コーナーをトラック上のどの位置取りで何番目に通過したのかが分かるのである。因みに、図１および図２における通過順位表示部２および走行位置認知手段５１からは、この競走馬が、第１コーナーを１３番目に通過するとともに、このとき馬群における外部分を走行していたこと、第２コーナーを１０番目に通過するとともに、このとき馬群における外部分を走行していたこと、第３コーナーを５番目に通過するとともに、このとき馬群における中部分を走行していたこと、第４コーナーを３番目に通過するとともに、このとき馬群における最内部分を走行していたことが分かる。
【００２４】したがって、上述したような走行位置認知手段５１がレース結果記録欄１０内に設けられている印刷物１は、過去のレースの内容を立体的に再現可能に記録されるため、テレビ又はビデオなどでも把握が難しい競走馬同士の横関係の走行位置を一瞥でより具体的に認識することができる競走馬のレース再現方法が行えるため、競馬の予想を行う際の参考資料として、従来記録されていた通過順位と対等程度に重宝される資料となる。
【００２５】また、このような印刷物１は、競走馬の進路の位置関係が分かるようになることで、従来の通過順位だけでは推し量ることの出来ない、レース中にその競走馬がおかれた立場などが詳細に再現され、この競走馬が得意とする位置取りが適っていたかどうか、あるいは位置取りをうまく行うことができず十分に能力を発揮することができなかったかなどを判断するデーターとして、より濃いレース内容を汲み取ることができるのである。
【００２６】しかも、印刷物１は、レース結果記録欄１０のスペースを広げることなく走行位置認知手段５１が記録された競走馬のレース内容記録方法が行われるため、従来用いられている競馬予想紙のレース結果記載欄に新たな情報として、競走馬の走行位置を書き加えることができるようになり、その記録がスペースを要せず簡潔かつ明瞭確実に記録していくことができる。
【００２７】なお、本発明にかかるような競走馬のレース内容記録方法は、上記実施の形態に示した走行位置認知手段５１を用いたものに限定されない。図４は、走行位置認知手段の表示例を示した説明図である。図４における表示例Ａは、上記実施の形態における走行位置認知手段５１を表したものであるが、この表示例に代えて、たとえば、図４における表示例Ｂ〜表示例Ｇに示したような走行位置認知手段を挙げることができる。
【００２８】図４における表示例Ｂは、矩形枠５における下辺部分に、トラック上における走行位置を最内部分から大外部分の５段階に分けて表示する識別手段を記録することにより、競走馬の位置取りを認知させるようにした走行位置認知手段５２が示されている。
【００２９】また、図４における表示例Ｃは、矩形枠５における全ての角部分を利用して、トラック上における走行位置を最内部分から大外部分の５段階に分けて表示する識別手段を記録することにより、競走馬の位置取りを認知させるようにした走行位置認知手段５３が示されている。
【００３０】また、図４における表示例Ｄは、矩形枠５における全ての角部分を利用して、トラック上における走行位置を内部分から外部分の４段階に分けて表示する識別手段を記録することにより、競走馬の位置取りを認知させるようにした走行位置認知手段５４が示されている。
【００３１】また、図４における表示例Ｅは、上述した表示例Ａ〜表示例Ｄとは異なり、トラック上の第４コーナー通過後の直線部分において、競走馬がどの位置を走行しているのかを示す走行位置認知手段５５が示されている。すなわち、走行位置認知手段５５は、図１および図２に示した経過順位表示部２における第４コーナーでの通過順位記録部２４を覆う矩形枠の右辺部分を利用して、トラック上の走行位置を最内部分から大外部分の５段階に分けて表示する識別手段を記録することにより、最終直線における競走馬の位置取りを表示させるようにしたものである。したがって、走行位置認知手段５５は、図５に示したように、表示例Ａ〜表示例Ｄの走行位置認知手段５１〜走行位置認知手段５４と併用して記録することができる。（図５におけるＡ・Ｅ、Ｂ・Ｅ、Ｃ・Ｅ、Ｄ・Ｅ参照）
【００３２】図５は、現行の一般的表示法で、第１コーナーを１３番手で通過し、第２コーナーを１０番手で通過し、第３コーナーを５番手で通過し、第４コーナーを３番手で通過した通過順位表示部を、表示例Ａ〜表示例Ｄの走行位置認知手段５１〜走行位置認知手段５４と併用して記録した状態を示した説明図である。これらの表記のうち、表示例Ａ〜表示例Ｃの走行位置認知手段５１〜走行位置認知手段５３によると、競走馬は、第１コーナーを外側の進路で走行し、第２コーナーも外側の進路で走行し、第３コーナーで中ほどの進路を走行し、第４コーナーで最内に入り込んで、そのまま最終直線も最内を走行したことが分かる。また、表示例Ｄの走行位置認知手段５４によると、競走馬は、第１コーナーを外側の進路で走行し、第２コーナーは中内の進路で走行し、第３コーナーも中内を走行し、第４コーナーで内に入り込んで、最終直線では最内を走行したことが分かる。
【００３３】表示例Ｅに示した走行位置認知手段５５は、トラック上の向こう正面の直線部分における競走馬の位置取りを認知させることに応用することもできる。この場合、走行位置認知手段５５は、第２コーナーでの通過順位２２を覆う矩形枠の右辺部分にトラック上の走行位置を最内部分から大外部分の５段階に分けて表示する識別手段を記録するようにすればよい。なお、走行位置認知手段５３と、走行位置認知手段５４とを組み合わせれば大外、外、中外、中、中内、内、最内の７段階に区分することができる。
【００３４】また、図４における表示例Ｆは、矩形枠５に代えて丸枠を利用した走行位置認知手段５６ａおよび枠を利用しない形態をした走行位置認知手段５６ｂを示している。
【００３５】また、表示例Ｇは、レース結果記録欄内に着順のみで通過順位表示等が記載されていない場合におけるトラック上の競走馬の位置取りを記録した走行位置認知手段５７ａおよび走行位置認知手段５７ｃおよび、走行位置認知手段５７ａおよび走行位置認知手段５７ｃの周囲に通過順位の表示を付け加えた走行位置認知手段５７ｂおよび走行位置認知手段５７ｄを示している。すなわち、走行位置認知手段５７ａ、５７ｃは、着順を覆うように枠を設け、このレースが右回りで行われたのか、左回りで行われたのかを枠の外側に矢印を設けることにより記録するとともに、右回りのレースの場合、この枠の左下の角を第１コーナー、左上の角を第２コーナー、右上の角を第３コーナー、右下の角を第４コーナーに見立てて、これら角にトラック上の走行位置を最内部分から大外部分の複数段階に分けて表示する図４Ａの例による識別手段を記録したものである。また、走行位置認知手段５７ｂ、５７ｄは、上述した内容に加えて、各コーナーでの通過順位を、枠の左下の角を第１コーナー、左上の角を第２コーナー、右上の角を第３コーナー、右下の角を第４コーナーに見立てて、数字で表示している。なお、走行位置認知手段５７ｃ、５７ｄは、走行位置認知手段５７ａ、５７ｂの矩形枠を丸枠に代えただけである。
【００３６】以上のように説明した走行位置認知手段で表される競走馬の馬群における横方向の走行位置の関係は、競馬場に設置されている４つのコーナーの鉄塔と正面からの俯瞰パトロール写真から容易に起こすことができ、また、印刷物などに記載するようにすると極めて競走馬のレースを再現させる上で有用な資料を作り出すための記録となる。
【００３７】
【発明の効果】以上のことより本発明にかかる請求項１の競走馬のレース再現方法を行うと、競走馬のトラック上における横方向の位置関係まで明確に再現することができるため、立体的に競走馬のレース内容を再現することができる。すなわち、競馬の専門家であっても、競走馬ごとの各レースでの走行進路は覚えきれるものではないが、本再現方法を印刷物などを通じて行うようにすると、過去のレースの記憶が蘇り、素人でも確実にしかも立体的に競走馬のレース内容を再現することができ、競馬愛好者などにとってレースを予想する際の非常に重要な要因とすることができる。また、請求項２の競走馬のレース内容記録方法を行うと、従来の競走馬のレース内容記録では、十分に把握することができなかった競走馬のトラック上の所定位置における位置取りを、記録スペースを要することなく、一瞥で視認可能な状態に記録することで、競走馬のレース内容を立体的に再現することが可能となる。
【００３８】また、請求項３の競走馬のレース内容記録方法を行うと、請求項２に記載の効果に加えて、レース結果記録欄内に、競走馬の過去のレースにおけるトラック上の所定位置での通過順位を視認可能に記載する通過順位表示部が設けられているとともに、この通過順位表示部で表示されている通過地点でのトラック上の競走馬の走行位置が、馬群における最内部分から大外部分までの位置を複数段階に分割して表示する識別手段により表示されているため、より具体的にレース内容を再現することができる。
【００３９】また、請求項４の競走馬のレース内容記録方法を行うと、レース内容の記録をより容易に視認することができる。また、請求項５の競走馬のレース内容が記録された印刷物を用いると、従来の競走馬のレース内容記録では、十分に把握することができなかった競走馬のトラック上の所定位置における位置取りを、記録スペースを要することなく、一瞥で視認可能な状態に記録されているため、この印刷物を視認することにより競走馬のレース内容を立体的に再現することが可能となる。また、請求項６の競走馬のレース内容が記録された印刷物を用いると、請求項５の印刷物の効果に加えて、視認しやすく、より容易に競走馬のレース内容を立体的に再現することが可能となる。
【００４０】また、請求項７の競走馬のレース内容が記録された印刷物は、視認しやすく省スペースで、より容易に競走馬のレース内容を再現することができる。
【図面の簡単な説明】
【図１】本発明にかかる競走馬のレース内容が記録された印刷物の一実施形態を示した説明図である。
【図２】走行位置認知手段を示した説明図である。
【図３】トラック上の位置と対応させた走行位置認知手段の表示例を示した説明図である。
【図４】走行位置認知手段の表示例における他の形態を示した説明図である。
【図５】走行位置認知手段の表示例における他の形態を示した説明図である。
【符号の説明】
１ 印刷物
１０ レース結果記録欄
２ 通過順位表示部
５ 矩形枠
５１ 走行位置認知手段